(57)【要約】【課題】機器を大型化させることなく、複数の回動部材の開閉を１つの光センサで検出することができる電子機器を提供すること。【解決手段】光センサ４０は、空間６３を隔てて対向配置された発光素子６４及び６５を有する。光センサ４０により回動状態が光学的に検出される第１検出子６１及び第２検出子６２は、スキャナ部３及び開閉扉７２にそれぞれ連動して光センサ４０の空間６３に出入される。第１検出子６１は、スキャナ部３の開動作に連動して発光素子６４と受光素子６５間の光路を遮断し、スキャナ部３の閉動作に連動して光路を開放する。第２検出子６２は、開閉扉７２の開動作に連動して光路を遮断し、開閉扉７２の閉動作に連動して光路を開放する。【選択図】図５
2007268864.tif 000002
【特許請求の範囲】
【請求項１】
機器本体に対して開閉される複数の回動部材と、
各回動部材の開閉にそれぞれ連動して回動される複数の検出子と、
検出子の回動状態を光学的に検出する光センサと、を具備してなる電子機器であって、
上記光センサは、空間を隔てて対向配置された発光素子及び受光素子を有し、
上記複数の検出子は、上記光センサの空間にそれぞれ出入され、対応する回動部材の開動作に連動して上記発光素子と上記受光素子間の光路を遮断し、対応する回動部材の閉動作に連動して上記光路を開放するものである電子機器。
【請求項２】
上記検出子は、機器本体に軸支される軸部と、上記回動部材が当接されることにより該軸部回りに回動される被接部と、該被接部とともに上記軸部回りに回動されて上記光センサの空間に出入される遮蔽部と、を有するものである請求項１に記載の電子機器。
【請求項３】
上記検出子は、上記遮蔽部が上記光センサの空間に進入する方向へ弾性付勢されているものである請求項２に記載の電子機器。
【請求項４】
上記各検出子の各遮蔽部は、回動方向に拡がる平面を有する平板形状であり、各遮蔽部は、上記光センサの空間において上記各平面が光路とそれぞれ直交する配置で平行に並べられたものである請求項２又は３に記載の電子機器。
【請求項５】
上記各検出子の各遮蔽部が上記光センサの空間の所定位置に出入するように案内するガイドを有するものである請求項２から４のいずれかに記載の電子機器。
【請求項６】
上記各検出子は、上記光センサを挟んだ対向位置に一対が配置されたものであり、
各検出子の各遮蔽部は、上記光路を開放する位置において、該光路を遮断する位置にある他の遮蔽部と光路方向に対してオーバーラップされたものである請求項４又は５に記載の電子機器。
【請求項７】
上記各検出子の遮蔽部に、上記光センサに当接して遮蔽部を所定の遮断位置に位置決めするストッパが設けられたものである請求項６に記載の電子機器。
【請求項８】
上記機器本体は、原稿の画像データを読み取るスキャナ部と、被記録媒体に画像記録を行うプリンタ部とが上下二段に配置されたものであり、
上記複数の回動部材の少なくとも一つが、上記プリンタ部に対して回動可能に配設された上記スキャナ部であり、
上記複数の回動部材の少なくとも一つが、上記プリンタ部の内部にアクセスするために該プリンタ部の筐体に対して開閉される扉である請求項１から７のいずれかに記載の電子機器。
【発明の詳細な説明】
【技術分野】
【０００１】
本発明は、機器本体に対して個別に開閉される複数の回動部材の開閉を一つの光センサにより検出可能な電子機器に関するものである。
【背景技術】
【０００２】
従来より、カバーや扉等の２つの回動部材の開閉を１つの検出手段で検出可能な装置が考案されている（例えば、特許文献１及び特許文献２参照）。この種の装置は、１つのマイクロスイッチと、マイクロスイッチのスイッチ作動子を加圧位置と圧解除位置との間で動作させる１つの作動部材と、を備えている。そして、２つの回動部材が共に閉鎖されているときにはスイッチ作動子を加圧位置に押圧し、少なくともどちらか一方の回動部材が開放されたときにはスイッチ作動子を圧解除位置へ復帰させるように作動部材が配置されている。したがって、スイッチ作動子が加圧位置にあるか又は圧解除位置にあるかに基づいて、２つの回動部材の開閉を検出することができる。
【０００３】
【特許文献１】特開平１０−１９９３６４号公報
【特許文献２】特開平１１−２４９３６５号公報
【発明の開示】
【発明が解決しようとする課題】
【０００４】
ところで、特許文献１及び特許文献２の装置では、マイクロスイッチ等の接触式のセンサが使用されているが、センサの寿命等を考えると、非接触式のセンサである光センサ等を使用されることが好ましい。また、特許文献１及び特許文献２に開示されている構成では、２つの回動部材の開閉を１つのセンサで検出可能であるが、個別に開閉される３つ以上の回動部材の開閉を１つのセンサで検出することは困難である。仮に、３つ以上の回動部材の開閉を検出可能に構成できたとしても、構成が複雑となり、装置が大型化するという問題点がある。
【０００５】
本発明は、かかる問題に鑑みてなされたものであり、機器を大型化させることなく、複数の回動部材の開閉を１つの光センサで検出することができる電子機器を提供することを目的とする。
【課題を解決するための手段】
【０００６】
(1)  本発明に係る電子機器は、機器本体に対して開閉される複数の回動部材と、各回動部材の開閉にそれぞれ連動して回動される複数の検出子と、検出子の回動状態を光学的に検出する光センサと、を具備してなる電子機器であって、上記光センサは、空間を隔てて対向配置された発光素子及び受光素子を有し、上記複数の検出子は、上記光センサの空間にそれぞれ出入され、対応する回動部材の開動作に連動して上記発光素子と上記受光素子間の光路を遮断し、対応する回動部材の閉動作に連動して上記光路を開放するものである。
【０００７】
複数の回動部材は、それぞれ、機器本体に対して開閉される。複数の検出子は、それぞれ対応する回動部材の開閉に連動して回動される。光センサは、空間を隔てられて対向配置された発光素子と受光素子とを有している。この空間に、複数の検出子がそれぞれ出入される。そして、これらの検出子の回動状態が光センサによって光学的に検出される。
【０００８】
回動部材が閉じられている場合、それに対応する検出子は、光センサの空間を離脱した位置にある。したがって、全ての回動部材が閉じられていれば、発光素子からの光が受光素子により受光される。この状態からいずれか１つでも回動部材が開かれると、それに対応する検出子は、回動部材の開動作に連動して光センサの空間に進入する。そして、発光素子と受光素子間の光路は、進入した検出子により遮断される。これにより、発光素子からの光が受光素子により受光されなくなる。開かれた回動部材が閉じられると、それに対応する検出子は、回動部材の閉動作に連動して光センサの空間から離脱する。そして、光路は、検出子の離脱に伴って開放され、発光素子からの光が受光素子により受光される。つまり、全ての回動部材が閉じられていれば光路は開放され、いずれか１つでも回動部材が開かれると光路が遮断される。したがって、１の光センサの光路が開放されているか否かに基づいて、複数の回動部材の開閉を検出することができ、複数の回動部材の開閉を複数の光センサでそれぞれ検出する場合に比べて、コストを削減できる。なお、発光素子と受光素子との間の空間は、複数の検出子が出入可能な間隔があればよいので、小型の光センサで複数の回動部材の開閉を検出することができる。
【０００９】
(2)  上記検出子は、機器本体に軸支される軸部と、上記回動部材が当接されることにより該軸部回りに回動される被接部と、該被接部とともに上記軸部回りに回動されて上記光センサの空間に出入される遮蔽部と、を有するものであってもよい。
【００１０】
検出子は、軸部によって機器本体に軸支されている。回動部材が閉じられている状態では、それに対応する検出子の被接部には、回動部材が当接されている。被接部が回動部材に押圧された状態において、遮蔽部は、光センサの空間から離脱した位置にある。この状態から回動部材が開かれると、それに対応する検出子の被接部は、回動部材から離れる。被接部に付与されていた回動部材による押圧力が除去されるので、検出子の被接部と遮蔽部は、軸部回りに回動される。これにより、回動した遮蔽部が光センサの空間に進入し、光路が遮断される。
【００１１】
(3)  上記検出子は、上記遮蔽部が上記光センサの空間に進入する方向へ弾性付勢されているものであってもよい。回動部材が閉じられた状態では、それに対応する検出子の被接部に対して、遮蔽部が光センサの空間から離脱する方向へ押圧力が付与されている。付勢力よりも押圧力の方が強いため、検出子の遮断部は、光センサの空間から離脱した位置にある。回動部材が開かれ、それに対応する検出子の被接部への押圧力が除去されると、付勢力により検出子が回動されて遮蔽部が光センサの空間へ進入する。したがって、回動部材が開かれた場合に、遮蔽部を光センサの空間に確実に進入させて光路を遮断させることができる。また、付勢力によりチャタリングを抑制して光センサの誤検出を防止することができる。
【００１２】
(4)  上記各検出子の各遮蔽部は、回動方向に拡がる平面を有する平板形状であり、各遮蔽部は、上記光センサの空間において上記各平面が光路とそれぞれ直交する配置で平行に並べられたものであってもよい。
【００１３】
各検出子の遮蔽部は、回動方向に拡がる平面を有する平板形状に形成されている。各遮蔽部は、光センサの空間において各遮蔽部の平面が光路とそれぞれ直交する配置で平行に並べられている。つまり、各遮蔽部は、光路方向に突出しない形状及び配置となっている。そのため、発光素子と受光素子との間隔を狭くすることができ、光センサを小型化することが可能となる。
【００１４】
(5)  上記各検出子の各遮蔽部が上記光センサの空間の所定位置に出入するように案内するガイドを有することが好ましい。各検出子の各遮蔽部は、光センサの空間の所定位置に出入するようにガイドによって案内される。所定位置は、各遮蔽部毎に異なる位置に設定されている。これにより、検出子の遮蔽部が光センサの空間に対して出入する際に、他の遮蔽部と接触して検出子の回動状態を正確に検出できなくなることが防止される。
【００１５】
(6)  上記各検出子は、上記光センサを挟んだ対向位置に一対が配置されたものであり、各検出子の各遮蔽部は、上記光路を開放する位置において、該光路を遮断する位置にある他の遮蔽部と光路方向に対してオーバーラップされたものであることが好ましい。これにより、２つの遮蔽部が回動方向に重なって互いの検出子が回動できなくなることが防止される。
【００１６】
(7)  上記各検出子の遮蔽部に、上記光センサに当接して遮蔽部を所定の遮断位置に位置決めするストッパが設けられていてもよい。これにより、遮蔽部が光センサの空間に進入する方向に検出子が回動された場合に、ストッパが光センサに当接する。この状態では、遮蔽部が所定の遮断位置にある。したがって、所定の遮断位置が遮蔽部により光路を確実に遮断できる位置となるようにストッパを設けておくことにより、遮蔽部が光センサの空間に進入する方向に検出子が回動された場合に、光路を確実に遮断できる。
【００１７】
(8)  上記機器本体は、原稿の画像データを読み取るスキャナ部と、被記録媒体に画像記録を行うプリンタ部とが上下二段に配置されたものであり、上記複数の回動部材の少なくとも一つが、上記プリンタ部に対して回動可能に配設された上記スキャナ部であり、上記複数の回動部材の少なくとも一つが、上記プリンタ部の内部にアクセスするために該プリンタ部の筐体に対して開閉される扉であってもよい。これにより、スキャナ部の開閉と、例えばインク交換やジャム処理のために開かれる扉の開閉と、を１つの光センサで検出することができる。
【発明の効果】
【００１８】
本発明に係る電子機器によれば、１つの光センサの光路が開放されているか否かに基づいて、複数の回動部材の開閉を検出することができ、例えば複数の回動部材の開閉を複数の光センサでそれぞれ検出する場合に比べて、コストを削減できる。なお、発光素子と受光素子との間の空間は、複数の検出子が出入可能な間隔があればよいので、小型の光センサで複数の回動部材の開閉を検出することができる。
【発明を実施するための最良の形態】
【００１９】
以下、適宜図面が参照されつつ、好ましい実施形態に基づいて本発明が詳細に説明される。なお、各実施形態は本発明の一例にすぎず、本発明の要旨を変更しない範囲で、実施形態が適宜変更されてもよいことは勿論である。
【００２０】
図１は、本発明の実施形態に係る複合機１（本発明の電子機器に相当）の外観構成を示す斜視図である。図２は、この複合機１の内部構成を示す断面図である。
【００２１】
複合機１は、高さより横幅及び奥行きが大きい幅広薄型の概ね直方体の外形を有する装置本体１０（機器本体）を備えている。この装置本体１０は、原稿の画像データを読み取るスキャナ部３と、被記録媒体に画像記録を行うプリンタ部２とが上下二段に配置されたものであり、プリンタ機能、スキャナ機能、コピー機能、電話通信機能、ファクシミリ機能等を有する。
【００２２】
本実施形態に係る複合機１の特徴とするところは、装置本体１０に対して個別に開閉される複数の回動部材を具備しており、これら複数の回動部材の開閉を１つの光センサ４０（図５及び図６参照）により検出するところにある。すなわち、複合機１は、プリンタ部２に対して回動可能に配設されたスキャナ部３と、プリンタ部２の内部にアクセスするためにプリンタ部２の筐体１１に対して開閉される扉である開閉扉７２の２つの回動部材を備えている。つまり、本実施形態においては、複数の回動部材の少なくとも一つが、プリンタ部２に対して回動可能に配設されたスキャナ部３であり、複数の回動部材の少なくとも一つが、プリンタ部２の内部にアクセスするためにプリンタ部２の筐体１１に対して開閉される開閉扉７２である。そして、スキャナ部３と開閉扉７２の開閉が１つの光センサ４０により検出され得るようになっている。光センサ４０及び光センサ４０の周辺構造については、後に詳述される。
【００２３】
装置本体１０のプリンタ機能においては、装置本体１０が主に不図示のコンピュータと接続され、プリンタ部２がこのコンピュータから送信された画像データや文書データに基づいて記録用紙その他の被記録媒体（以下、単に「記録用紙」と称される。）に画像や文書を記録する。また、プリンタ部２は、装置本体１０に接続されたデジタルカメラ等の外部機器から出力される画像データを記録用紙に記録することもできる。さらに、プリンタ部２は、装置本体１０に装着されたメモリカード等の各種記憶媒体に記憶された画像データ等を記録用紙に記録することもできる。
【００２４】
装置本体１０のスキャナ機能においては、スキャナ部３により読み取られた原稿の画像データがコンピュータに送信される。また、この画像データは、メモリカード等の各種記憶媒体に記憶されることも可能である。装置本体１０のコピー機能においては、スキャナ部３により読み取られた画像データがプリンタ部２において記録用紙に記録される。
【００２５】
装置本体１０の電話通信機能においては、不図示の電話回線を通じて音声が電気信号として送受信され、ファクシミリ機能においては、スキャナ部３により読み取られた画像データが電気信号として上記電話回線を通じてファクシミリ送信される。また、受信されたファクシミリデータは、プリンタ部２により記録用紙に記録される。装置本体１０の側面１３に局線が接続される接続部１４が設けられている。
【００２６】
装置本体１０の下部がプリンタ部２である。プリンタ部２は、正面に開口１５が形成されている。この開口１５の内部に、給紙トレイ２０及び排紙トレイ２１が設けられている。給紙トレイ２０には、被記録媒体である記録用紙が収容される。給紙トレイ２０は、Ａ４サイズ以下のＢ５サイズ、はがきサイズ等の各種サイズの記録用紙を収容可能である。図１には示されていないが、給紙トレイ２０は、装置正面側にスライドされることによりトレイ面が拡張されるようになっている。拡張された給紙トレイ２０は、リーガルサイズの記録用紙を収容することも可能である。給紙トレイ２０に収容された記録用紙は、後述のようにプリンタ部２の内部へ給送されて所望の画像が記録され、排紙トレイ２１へ排出される。
【００２７】
装置本体１０の上部がスキャナ部３である。スキャナ部３は、所謂フラットベッドスキャナとして構成されている。装置本体１０は、原稿カバー３０を備えている。この原稿カバー３０は、装置本体１０の天板として機能し、開閉自在に設けられている。この原稿カバー３０の下側にプラテンガラス３１及びコンタクトイメージセンサ３２が設けられている。プラテンガラス３１には、画像読取りを行う原稿が載置される。プラテンガラス３１の下方には、装置本体１０の奥行き方向を主走査方向とするコンタクトイメージセンサ３２が、装置本体１０の幅方向（図２の紙面に垂直方向）に往復動可能に設けられている。
【００２８】
装置本体１０は、操作パネル６を備えている。操作パネル６は、プリンタ部２やスキャナ部３を操作するためのものであり、装置本体１０の正面上部に配置されている。操作パネル６は、各種操作ボタン３５や液晶ディスプレイ３６から構成されている。装置本体１０は、操作パネル６からの操作指示に基づいて動作される。なお、装置本体１０が外部のコンピュータに接続されている場合には、このコンピュータからプリンタドライバ又はスキャナドライバを介して送信される指示に基づいても装置本体１０が動作される。
【００２９】
装置本体１０は、スロット部７を備えている。スロット部７は、装置本体１０の正面に配置されており、記憶媒体である各種小型メモリカードがスロット部７に装填される。操作パネル６において所定の操作が行われることにより、スロット部７に装填された小型メモリカードに記憶された画像データが読み出される。読み出された画像データに関する情報は、例えば液晶ディスプレイ３６に表示され、操作ボタン３５の操作に基づいて任意に選択された画像がプリンタ部２により記録用紙に記録される。
【００３０】
図２に示されるように、装置本体１０の底側に給紙トレイ２０が配置されている。この給紙トレイ２０は、同図において左右方向（図１において矢印１３７の方向）に挿抜されるようになっている。給紙トレイ２０が装置内部に挿入されると、記録用紙は、後述される給紙ローラ２５によって図２において右方向（記録用紙の搬送方向）へ引き出され、用紙搬送路２３に沿って画像記録ユニット２４側へ送られる。また、ユーザーが給紙トレイ２０を装置内部から引き抜くことによって、ユーザーは、給紙トレイ２０に記録用紙を補充することができるようになっている。
【００３１】
給紙トレイ２０の奥側に分離傾斜板２２が設けられている。この分離傾斜板２２は、装置背面側へ倒れるように傾斜している。分離傾斜板２２は、給紙トレイ２０から給送された記録用紙を分離して上方へ案内する。分離傾斜板２２の上方に上記用紙搬送路２３が形成されている。この用紙搬送路２３は、分離傾斜板２２から上方へ向かった後、正面側へ曲がっている。さらに、用紙搬送路２３は、装置本体１０の背面側から正面側へと延び、画像記録ユニット２４を通過して排紙トレイ２１へ通じている。給紙トレイ２０に収容された記録用紙は、用紙搬送路２３によって下方から上方へＵターンするように案内されて画像記録ユニット２４に至り、この画像記録ユニット２４により画像記録が行われた後、排紙トレイ２１に排出される。
【００３２】
以下に、スキャナ部３がプリンタ部２に対して開閉される構造、及び、開閉扉７２がプリタ部２の筐体１１に対して開閉される構造について詳述される。図３は、スキャナ部３がプリンタ部２に対して開かれ、開閉扉７２がプリンタ部２の筐体１１に対して開かれた状態の複合機１を示す外観斜視図である。なお、操作パネル６は、装置本体１０に固定されるものであるが、ここでは、上記光センサ４０が配設された検出部４を示すために取り外された状態で示されている。
【００３３】
図３に示されるように、スキャナ部３のケーシング６０が、装置背面側を軸としてプリンタ部２に回動可能に支持されている。これにより、スキャナ部３は、装置正面側を自由端としてプリンタ部２に対して上側へ開かれる。操作パネル６は、プリンタ部２側に固定されており、スキャナ部３とともに開閉されない。スキャナ部３が開かれることにより、プリンタ部２の内部が露出され、ジャム処理などのメンテナンス作業が行われる。
【００３４】
プリンタ部２とスキャナ部３との間には、支持部材７１が設けられている。支持部材７１は、装置奥行きより若干短い長さの平板形状であり、基端がプリンタ部２の上部であって装置正面側に回動自在に連結されている。支持部材７１は、装置奥行き方向に延出されている。支持部材７１の装置背面側は回動先端であり、ケーシング６０に摺動自在に連結されている。支持部材７１は、スキャナ部３がプリンタ部２に対して開かれた状態において、図３に示されるように、筋交いの如く、スキャナ部３を支持する。
【００３５】
図４は、プリンタ部２の筐体１０に対して開かれた状態の開閉扉７２及びその周辺を示す拡大斜視図である。図３及び図４に示されるように、プリンタ部２は、リフィルユニット７０（図１０参照）を備えている。このリフィルユニット７０は、図に示されるように、プリンタ部２の筐体１０の前方側、すなわち前面パネル１６側に内蔵されている。本実施形態では、リフィルユニット７０は４つのインクカートリッジ５２（図１０参照）を収容保持することができる。各インクカートリッジ５２には、ブラック（Ｂｋ）、イエロー（Ｙ）、マゼンタ（Ｍ）及びシアン（Ｃ）の各色のインクがそれぞれ貯留される。これらインクカートリッジ５２に貯留された各色のインクは、インクチューブ４１（図９参照）を介して記録ヘッド３９（図８参照）へ供給されるように構成されている。
【００３６】
プリンタ部２の筐体１１は、その前面パネル１６に開閉扉７２を有している。この開閉扉７２は、前面パネル１１の幅方向の一方の端部（本実施形態では右端部）に設けられた開口７３を開閉するものである。この開閉扉７２は、プリンタ部２の内部にアクセスするためにプリンタ部２の筐体１１に対して開閉される扉である。具体的には、開閉扉７２は、前方へ倒伏することによって上記開口７３を開いて該開口７３からリフィルユニット７０を露出させる姿勢（開放姿勢）と、上記開口７３を閉じてリフィルユニット７０を収容する姿勢（閉塞姿勢）との間で回動自在となっている。開閉扉７２の開閉動作は、該開閉扉７２の下端が回動軸となって装置前面側に回動することにより達成される。なお、プリンタ部２の筐体１１は、嵌合孔１２を備えており、開閉扉７２の係合部材１２１が嵌合孔１２に係合されることによって、開閉扉７２が閉じられた状態でプリンタ部２の筐体１１に支持されるようになっている。
【００３７】
図５は、スキャナ部３及び開閉扉７２の開閉を検出する検出部４を示す拡大斜視図である。図６は、検出部４に配設される光センサ４０、第１検出子６１、及び、第２検出子６２を示す分解斜視図である。図７は、スキャナ部３の下面に設けられた第１押圧部３４を示す拡大斜視図である。
【００３８】
図３及び図５に示されるように、プリンタ部２の筐体１１の上面における装置前面側の右端部には、検出部４が設けられている。スキャナ部３（複数の回動部材の一つ）及び開閉扉７２（複数の回動部材の一つ）の開閉は、この検出部４によって検出されるようになっている。検出部４には、光センサ４０、第１検出子６１（複数の検出子の一つ）、及び、第２検出子６２（複数の検出子の一つ）が配設されている。
【００３９】
光センサ４０は、後述される第１検出子６１及び第２検出子６２の回動状態を光学的に検出するものである。光センサ４０は、図６に示されるように、空間６３を隔てて対向配置された発光素子６４及び受光素子６５を有する。この光センサ４０の空間６３に、第１検出子６１及び第２検出子６２がそれぞれ出入される。すなわち、空間６３は、少なくとも、第１検出子６１が出入される空間と、第２検出子が出入される空間とを有する。
【００４０】
発光素子６４は、電流を流すことによって発光する光半導体であり、例えばＬＥＤ（Light Emitting Diode）が使用される。発光素子６４としては、可視光に比べて赤外光の方が発光出力が大きい等の理由から、赤外光を発するものが使用される。また、発光素子６４の点灯方式は、直流電流により点灯する直流点灯と、パルス電流により点灯するパルス点灯とのいずれであってもよい。
【００４１】
受光素子６５は、受光した光の強度に応じた電流を出力するものである。受光素子６５としては、フォトダイオードと集積回路とが組み合わされてなるフォトＩＣや、フォトダイオードとトランジスタとが組み合わされてなるフォトトランジスタ等が使用される。受光素子６５は、空間６３を隔てて発光素子６４と対向するように配設されている。空間６３が開放されている場合には、発光素子６４からの光が受光素子６５によって受光される。このようにして発光素子６４から受光素子６５への光の光路が開放されている場合、受光素子６５によって受光された光の強度に応じた電流が受光素子６５から出力される。逆に、空間６３が開放されていない場合には、発光素子６４からの光は受光素子６５によって受光されない。このように、発光素子６４から受光素子６５への光の光路が遮断されている場合、受光素子６５からは電流が出力されない。
【００４２】
空間６３には、上記のように第１検出子６１又は第２検出子６２が出入されるようになっている。したがって、上記の説明から明らかなように、光センサ４０は、空間６３に第１検出子６１又は第２検出子６２が進入して発光素子６４から受光素子６５への光の光路が遮断されることにより第１検出子６１又は第２検出子６２を検出する、所謂透過型のフォトインタラプタ（Photointerrupter）である。
【００４３】
第１検出子６１及び第２検出子６２は、各回動部材にそれぞれ連動して回動されるものである。すなわち、第１検出子６１は、スキャナ部３の開閉に連動して回動され、第２検出子６２は、開閉扉７２の開閉に連動して回動されるものである。第１検出子６１は、光センサ４０の空間６３に出入されるものであり、対応する回動部材であるスキャナ部３の開動作に連動して発光素子６４と受光素子６５間の光路を遮断し、スキャナ部３の閉動作に連動してその光路を開放する。また、第２検出子６３は、光センサ４０の空間６３に出入されるものであり、対応する回動部材である開閉扉７２の開動作に連動して発光素子６４と受光素子６５間の光路を遮断し、開閉扉７２の閉動作に連動してその光路を開放する。
【００４４】
第１検出子６１は、図６に示されるように、軸部８３、被接部８４、及び、遮蔽部８５を有するものである。軸部８３は、装置本体１０に軸支されている。具体的には、軸部８３は、軸部８３の両端が、プリンタ部２の筐体１１の上面であって装置正面側の右端部に設けられた軸受け部８６（図５参照）によって回動自在に支持されている。被接部８４は、スキャナ部３が当接されるものである。具体的には、被接部８４は、スキャナ部３の下面における装置前面側の右端部から下方に突設された第１押圧部３４（図７参照）が当接される。また、被接部８４は、軸部８３の回転中心軸から放射方向に伸びるように設けられている。したがって、被接部８４は、スキャナ部３の第１押圧部３４が当接されることにより軸部８３回りに回動される。言い換えれば、被接部８４は、第１押圧部３４からの押圧力の有無により軸部８３回りに回動される。なお、被接部８４は、第１押圧部３４が当接されるものであるため、ここでは、軸部８３の軸方向に拡がる平板形状に形成されている。
【００４５】
遮蔽部８５は、軸部８３の回転中心軸から放射方向に伸びるように設けられており、ここでは、軸部８３の一端側から軸部８３に対して被接部８４とは反対側に突出するように形成されている。これにより、遮蔽部８５は、被接部８４とともに軸部８３回りに回動されて光センサ４０の空間６３に出入される。なお、遮蔽部８５は、図６に示されるように、回動方向に拡がる平面を有する平板形状に形成されている。遮蔽部８５には、光センサ４０に当接して遮蔽部８５を所定の遮断位置に位置決めするストッパ８９が設けられている。このストッパ８９は、遮蔽部８５の一方の面に垂設されている。ストッパ８９は、ここでは、遮蔽部８５において、後述する第２検出センサ６２の遮蔽部９４と対向する面とは反対側の面に垂設されている。遮蔽部８５が光センサ４０の空間６３に進入する方向へ第１検出子６１が回動されると、ストッパ８９が光センサ４０の受光素子６５に当接する（図５参照）。この状態では、遮蔽部８５が所定の遮断位置にある。したがって、所定の遮断位置が遮蔽部８５により光路を確実に遮断できる位置となるようにストッパ８９を設けておくことにより、遮蔽部８５が光センサ４０の空間６３に進入する方向に第１検出子６１が回動された場合に、光路を確実に遮断できる。
【００４６】
なお、遮蔽部８５が設けられている側の軸部８３を支持する軸受け部８６は、遮蔽部８５の回動方向と垂直な方向へ遮蔽部８５の移動が規制されるように形成されている（図５参照）。これにより、軸受け部８６は、第１検出子６１の遮蔽部８５が光センサ４０の空間６３の所定位置に出入するように案内するガイドとしても機能する。
【００４７】
第１検出子６１には、ネジリコイルバネ９０が付設されている。ネジリコイルバネ９０は、その巻回部分に軸部８３が挿通されると共に、アームの一端側が筐体１１の上面に当接し、アームの他端側が被接部８４の側方に設けられた係止片９１に係止されている。したがって、第１検出子６１は、このネジリコイルバネ９０によって遮蔽部８５が光センサ４０の空間６３に進入する方向へ弾性付勢されている。
【００４８】
第２検出子６２は、軸部９２、被接部９３、及び、遮蔽部９４を有するものである。軸部９２は、装置本体１０に軸支されている。具体的には、軸部９２は、軸部９２の両端が、プリンタ部２の筐体１１の上面であって装置正面側の右端部に設けられた軸受け部９５（図５参照）によって回動自在に支持されている。被接部９３は、開閉扉７２が当接されるものである。具体的には、被接部９３は、開閉扉７２の自由端側から開閉扉７２の内側へ向けて突設された第２押圧部７７（図４参照）が当接される。また、被接部９３は、軸部９２の回転中心軸から放射方向へ伸びるように設けられている。被接部９３は、開閉扉７２の第２押圧部７７が当接されることにより軸部９２回りに回動される。言い換えれば、被接部９３は、第２押圧部７７からの押圧力の有無により軸部９２回りに回動される。なお、被接部９３が第２押圧部７７により押圧された状態で第２押圧部７７の先端側が挿入されるように、被接部９３には開口９６が形成されている。プリンタ部２の筐体１１は、挿通孔６６（図４及び図５参照）を備えており、開閉扉７２の係合部材１２１が嵌合孔１２に係合されると共に、第２押圧部７７が挿通孔６６を挿通される。このようにして挿通孔６６を挿通された第２押圧部７７によって被接部９３が押圧されるようになっている。
【００４９】
遮蔽部９４は、軸部９２の回転中心軸から放射方向へ伸びるように設けられており、ここでは、軸部９２の一端側から軸部９２に対して被接部９３とは反対側に突出するようにアーム９７を介して形成されている。これにより、遮蔽部９４は、被接部９３とともに軸部９２回りに回動されて光センサ４０の空間６３に出入される。なお、遮蔽部９４は、図６に示されるように、第１検出子６１の遮蔽部８５と同様に、回動方向に拡がる平面を有する平板形状に形成されている。遮蔽部８５及び遮蔽部９４は、光センサ４０の空間６３において各平面が発光素子６４と受光素子６５間の光路とそれぞれ直交する配置で平行に並べられている（図５参照）。すなわち、遮蔽部８５及び遮蔽部９４は、光センサ４０の光路方向に突出しない形状及び配置となっている。そのため、発光素子６４と受光素子６５との間隔（空間６３）を狭くすることができ、光センサ４０を小型化することが可能である。
【００５０】
遮蔽部９４には、光センサ４０に当接して遮蔽部９４を所定の遮断位置に位置決めするストッパ９８が設けられている。このストッパ９８は、遮蔽部９４の一方の面に垂設されている。ストッパ９８は、ここでは、遮蔽部９４における第１検出センサ６１の遮蔽部８５と対向する面とは反対側の面に垂設されている。遮蔽部９４が光センサ４０の空間６３に進入する方向へ第２検出子６２が回動されると、ストッパ９８が光センサ４０の発光素子６４に当接する。この状態では、遮蔽部９４が所定の遮断位置にある。したがって、所定の遮断位置が遮蔽部９４により光路を確実に遮断できる位置となるようにストッパ９８を設けておくことにより、遮蔽部９４が光センサ４０の空間６３に進入する方向に第２検出子６２が回動された場合に、光路を確実に遮断できる。
【００５１】
図５に示されるように、筐体１１における検出部４の所定の位置には、遮蔽部９４の回動方向と垂直な方向へ遮蔽部９４及びアーム９７が移動することを規制するガイド９９が設けられている。ガイド９９は、アーム９７が回動される方向に沿ってスリットが形成されたものである。すなわち、このスリットに沿ってアーム９７が回動される。なお、ここではアーム９７が長尺に形成されているため、ガイド９９は、図５に示されるように、２つのスリットを有するものである。これにより、遮蔽部９４は、光センサ４０の空間６３の所定位置に出入するようにガイド９９によって案内される。なお、遮蔽部８５が出入される光センサ４０の所定位置と、遮蔽部９４が出入される光センサ４０の所定位置とは、異なる位置に設定されている。これにより、第２検出子６２の遮蔽部９４が光センサ４０の空間６３に対して出入する際に、第１検出子６１の遮蔽部８５と接触して、第１検出子６１及び第２検出子６２の回動状態を正確に検出できなくなることが防止される。
【００５２】
第２検出子６２には、ネジリコイルバネ１００が付設されている。ネジリコイルバネ１００は、その巻回部分に軸部９２が挿通されると共に、アームの一端側がプリンタ部２の筐体１１の上面に当接し、アームの他端側が被接部９３の側方に設けられた係止片１１０に係止されている。したがって、第２検出子６２は、このネジリコイルバネ１００によって遮蔽部９４が光センサ４０の空間６３に進入する方向へ弾性付勢されている。
【００５３】
上記のように、スキャナ部３及び開閉扉７２は、それぞれ、装置本体１０に対して開閉される。第１検出子６１及び第２検出子６２は、それぞれ対応する回動部材の開閉に連動して回動される。すなわち、第１検出子６１は、スキャナ部３の開閉に連動して回動され、第２検出子６２は、開閉扉７２の開閉に連動して回動される。光センサ４０は、空間６３を隔てられて対向配置された発光素子６４と受光素子６５とを有している。この空間６３に、第１検出子６１及び第２検出子６２がそれぞれ出入される。そして、これらの検出子６１，６２の回動状態が光センサ４０によって光学的に検出されるようになっている。なお、本実施形態においては、第１検出子６１及び第２検出子６２は、光センサ４０を挟んだ対向位置に一対が配置されたものであるが（図５参照）、３つ以上の検出子を配置することも当然可能である。
【００５４】
図８は、プリンタ部２の主要構成を示す部分拡大断面図である。図８に示されるように、給紙トレイ２０の上側には、給紙ローラ２５が設けられている。給紙ローラ２５は、給紙トレイ２０に積載された記録用紙に圧接して最上位置の記録用紙を分離傾斜板２２へ給送する。給紙ローラ２５は、給紙アーム２６の先端に軸支されている。給紙ローラ２５は、複数のギアが噛合されてなる駆動伝達機構２７により、図に示されていないモータの駆動が伝達されて回転される。
【００５５】
給紙アーム２６は、基軸２８を回動軸として、給紙トレイ２０に接離可能に上下動される。図８に示されるように、給紙アーム２６は、自重により給紙トレイ２０に接触するように下側に回動され、給紙ローラ２５が給紙トレイ２０に接触される。給紙トレイ２０及び排紙トレイ２１が開口１５から挿抜される際に、給紙アーム２６が上側へ退避される。給紙ローラ２５が給紙トレイ２０上の記録用紙の表面に圧接された状態で回転されると、給紙ローラ２５のローラ面と記録用紙との間の摩擦力によって最上位置の記録用紙が分離傾斜板２２へ給送される。記録用紙は、その先端が分離傾斜板２２に当接して上方へ、つまり用紙搬送路２３へ案内される。給紙ローラ２５によって最上位置の記録用紙が送り出される際に、その直下の記録用紙が摩擦や静電気の作用によって共に送り出される場合があるが、該記録用紙は分離傾斜板２２との当接によって制止される。
【００５６】
用紙搬送路２３は、画像記録ユニット２４等が配設されている箇所以外は、所定間隔で対向する外側ガイド面と内側ガイド面とから構成されている。例えば、複合機１の背面側の用紙搬送路２３は、外側ガイド部材１８と内側ガイド部材１９とがフレーム内に固定されることにより構成されている。外側ガイド部材１８には、搬送コロ１７が設けられている。搬送コロ１７は、外側ガイド部材１８のガイド面からローラ面が露出されて、用紙搬送路２３の幅方向を軸方向として外側ガイド部材１８に回転自在に支持されている。搬送コロ１７によって、用紙搬送路２３がＵ字に曲がっている箇所において外側ガイド面に接触する記録用紙の搬送が円滑となる。
【００５７】
図８に示されるように、用紙搬送路２３には、画像記録ユニット２４が設けられている。画像記録ユニット２４は、記録ヘッド３９を搭載して主走査方向へ往復動するキャリッジ３８を備えている。記録ヘッド３９は、複合機１内の前面パネル１６の右端部側に設けられたリフィルユニット７０（図１０参照）内のインクカートリッジ５２（図１０参照）からインクチューブ４１（図９参照）を通じてシアン（Ｃ）・マゼンタ（Ｍ）・イエロー（Ｙ）・ブラック（Ｂｋ）の各色インクが供給され、各インクを微小なインク滴として選択的に吐出する。キャリッジ３８が往復動される間に、記録ヘッド３９からインク滴が選択的に吐出されることにより、プラテン４２上を搬送される記録用紙に画像記録が行われる。
【００５８】
図９は、プリンタ部２の主要構成を示す平面図である。図９に示されるように、用紙搬送路２３の上側において記録用紙の搬送方向（図９の上下方向）に所定距離を隔てられて、一対のガイドレール４３，４４が記録用紙の搬送方向と直交する方向（図９の左右方向）に延設されている。キャリッジ３８は、ガイドレール４３，４４を跨ぐようにして記録用紙の搬送方向と直交する水平方向に往復動可能に載置されている。記録用紙の搬送方向の上流側に配設されたガイドレール４３は、用紙搬送路２３の幅方向の長さがキャリッジ３８の往復動範囲より長い平板状のものである。ガイドレール４３の搬送方向下流側の上面がガイド面４３Ａであり、ガイド面４３Ａがキャリッジ３８の上流側の端部を摺動可能に支持する。
【００５９】
記録用紙の搬送方向の下流側に配設されたガイドレール４４は、用紙搬送路２３の幅方向の長さがガイドレール４３とほぼ同じ長さの平板状のものである。ガイドレール４４において、上流側の縁部４５は、上方へ向かって略直角に曲折されている。ガイドレール４４の搬送方向下流側の上面がガイド面４４Ａであり、ガイド面４４Ａがキャリッジ３８の下流側の端部を摺動可能に支持する。また、キャリッジ３８は、縁部４５を図示されていないローラ等により狭持する。これにより、キャリッジ３８が、ガイドレール４３，４４のガイド面４３Ａ，４４Ａ上に摺動自在に担持され、ガイドレール４４の縁部４５を基準として、記録用紙の搬送方向と直交する水平方向に往復動可能となる。
【００６０】
ガイドレール４４の上面には、ベルト駆動機構４６がガイドレール４４に沿って設けられている。ベルト駆動機構４６は、用紙搬送路２３の幅方向の両端付近にそれぞれ設けられた駆動プーリ４７と従動プーリ４８との間に、内側に歯が設けられた無端環状のタイミングベルト４９が張り渡されたものである。タイミングベルト４９とキャリッジ３８とが連結されることにより、ベルト駆動機構４６の動作に基づいてキャリッジ３８が往復動される。
【００６１】
駆動プーリ４７は、ガイドレール４４のガイド面４４Ａと直交する方向を軸として、ガイドレール４４の上面の一方端（図９では右端）に回転自在に設けられている。つまり、駆動プーリ４７の軸は鉛直方向である。図９には表れていないが、ガイドレール４４の下側にはモータが設けられており、該モータから駆動プーリ４７の軸に駆動力が入力される。これにより、駆動プーリ４７が回転される。
【００６２】
図９に示されるように、駆動プーリ４７及び従動プーリ４８には、タイミングベルト４９が張り渡されている。図９には表れていないが、駆動プーリ４７の外周にはタイミングベルト４９の内歯と噛合する平歯が形成されている。これにより、駆動プーリ４７の回転がタイミングベルト４９に確実に伝達され、タイミングベルト４９が周運動される。なお、本実施形態では無端環状のタイミングベルト４９が用いられているが、これに代えて有端のタイミングベルトが用いられてもよい。その場合、タイミングベルトの両端がキャリッジ３８に連結される。
【００６３】
キャリッジ３８は、タイミングベルト４９に連結されている。タイミングベルト４９が周運動されると、キャリッジ３８が縁部４５を基準としてガイドレール４３，４４上を往復動する。キャリッジ３８に記録ヘッド３９が搭載されることにより、記録ヘッド３９が、用紙搬送路２３の幅方向を主走査方向として往復動可能となっている。
【００６４】
ガイドレール４４の縁部４５に沿って、リニアエンコーダのエンコーダストリップ５４が配設されている。リニアエンコーダは、エンコーダストリップ５４をキャリッジ３８に搭載されたフォトインタラプタ５５により検出するものである。リニアエンコーダの検出信号に基づいて、キャリッジ３８の往復動が制御される。
【００６５】
図９に示されるように、用紙搬送路２３の下側には、記録ヘッド３９と対向してプラテン４２が配設されている。プラテン４２は、キャリッジ３８の往復動範囲のうち、記録用紙が通過する中央部分に渡って配設されている。プラテン４２の幅は、搬送可能な記録用紙の最大幅より十分に大きいものであり、記録用紙の両端は常にプラテン４２の上を通過する。
【００６６】
記録用紙が通過しない範囲、すなわち記録ヘッド３９による画像記録範囲外には、パージ機構５６や廃インクトレイ５７等のメンテナンスユニットが配設されている。パージ機構５６は、記録ヘッド３９のノズル（不図示）から気泡や異物を吸引除去するためのものである。パージ機構５６は、記録ヘッド３９のノズルを覆うキャップ５８と、キャップ５８を通じて記録ヘッド３９に接続されるポンプ機構と、キャップ５８を記録ヘッド３９のノズルに接離させるための移動機構とからなる。なお、図９においては、ポンプ機構及び移動機構は、ガイドレール４３，４４及びキャップ５８の下方にあるため図に表れていない。記録ヘッド３９の気泡等の吸引除去を行う際には、記録ヘッド３９がキャップ５８上に位置するようにキャリッジ３８が移動され、その状態でキャップ５８が上方へ移動されて記録ヘッド３９の下面のノズルを密閉するように密着し、キャップ５８と連結されたポンプにより記録ヘッド３９のノズルからインクが吸引される。
【００６７】
廃インクトレイ５７は、フラッシングと呼ばれる記録ヘッド３９からのインクの空吐出を受けるためのものである。廃インクトレイ５７は、キャリッジ３８の往復動範囲内であって画像記録範囲外に、プラテン４２と一体に設けられている。これらメンテナンスユニットにより、記録ヘッド３９内の気泡や混色インクの除去等のメンテナンスが行われる。
【００６８】
記録ヘッド３９には、リフィルユニット７０に保持されたインクカートリッジ５２（図１０参照）と連結されたインクチューブ４１を通じてインクが供給される。インクカートリッジ５２はインク色毎に設けられており、各色毎に独立したインクチューブ４１により記録ヘッド３９へ各色インクが供給される。各インクチューブ４１は、合成樹脂製のチューブであり、キャリッジ３８の往復動に従って撓む可撓性を有する。
【００６９】
インクカートリッジ５２と連結された各インクチューブ４１は、装置の幅方向に沿って中央付近まで引き出されて、装置フレームの固定クリップ５９に固定されている。なお、図９では、固定クリップ５９からインクカートリッジ５２側へ延出されるインクチューブ４１は省略されている。固定クリップ５９からキャリッジ３８までにおいて、インクチューブ４１は装置フレーム等に固定されておらず、キャリッジ３８の往復動に追従して姿勢変化する。すなわち、キャリッジ３８が往復動方向の一端（図９の左側）へ移動するに従い、各インクチューブ４１は、Ｕ字形状の湾曲部分の曲げ半径が小さくなるように撓みながら、キャリッジ３８の移動方向へ移動する。一方、キャリッジ３８が往復動方向の他端（図９の右側）へ移動するに従い、各インクチューブ４１は、湾曲部分の曲げ半径が大きくなるように撓みながら、キャリッジ３８の移動方向へ移動する。
【００７０】
図８に示されるように、画像記録ユニット２４の上流側には、搬送ローラ６７が設けられている。図８には表れていないが、搬送ローラ６７の対向位置にはピンチローラが設けられている。ピンチローラは、搬送ローラ６７に圧接可能に付勢されている。搬送ローラ６７とピンチローラとの間に記録用紙が進入すると、ピンチローラは記録用紙の厚み分だけ退避して該記録用紙を搬送ローラ６７とともに狭持する。これにより、搬送ローラ６７の回転力が確実に記録用紙へ伝達される。そして、該記録用紙がプラテン４２上へ搬送される。
【００７１】
画像記録ユニット２４の下流側には、排紙ローラ６８が設けられている。排紙ローラ６８の対向位置には、拍車ローラ６９が設けられている。拍車ローラ６９は、排紙ローラ６８に圧接されており、排紙ローラ６８及び拍車ローラ６９により、記録済みの記録用紙が狭持されて搬送される。拍車ローラ６９も排紙ローラ６８に対して上記ピンチローラと同様に圧接可能に付勢されたものであるが、記録済みの記録用紙と圧接するので、記録用紙に記録された画像を劣化させないようにローラ面が拍車状に凹凸されている。
【００７２】
搬送ローラ６７及び排紙ローラ６８は、図示されていないモータから駆動力が伝達されて、所定の改行幅で間欠駆動される。搬送ローラ６７及び排紙ローラ６８の回転は同期されており、搬送ローラ６７に設けられたロータリーエンコーダが、搬送ローラ６７とともに回転するエンコーダディスク５１をフォトインタラプタで検出することにより、搬送ローラ６７及び排紙ローラ６８の回転が制御される。
【００７３】
図１０は、リフィルユニット７０の斜視図である。リフィルユニット７０は、シアン（Ｃ）、マゼンタ（Ｍ）、イエロー（Ｙ）、ブラック（Ｂｋ）の各色に対応する４つのインクカートリッジ５２を保持するものであり、図３に示されるように、プリンタ部２の前面パネル１６の右端部に形成された開口７３の奥部に配設されている。具体的には、インクカートリッジ５２の交換作業を容易にするべく、リフィルユニット７０は、前面パネル１６側に設けられており、ケース７５の前面７９と前面パネル１６とがほとんど同一面となるように配設されている。なお、もちろん、開閉扉７２による上記開口７３の開閉は妨げられない。
【００７４】
リフィルユニット７０は、図１０に示されるように、ユニット本体７４を備えている。インクカートリッジ５２は、このユニット本体７４に挿抜されるようになっており、インクカートリッジ５２がユニット本体７４に挿入されたときは、当該ユニット本体７４に確実に保持されるようになっている。
【００７５】
インクカートリッジ５２は、予めインクを貯留しておくためのものである。本実施形態では、リフィルユニット７０が４つのインクカートリッジ５２を収容可能なように、４つの収容室７８がリフィルユニット７０に設けられている。各インクカートリッジ５２には、そのインクタンク内に、シアン、マゼンタ、イエロー及びブラックの各色のインクがそれぞれ貯留されている。インクカートリッジ５２の本体は、幅細の直方体状、言い換えれば、幅方向に細く、縦長で、奥行き方向に長い形状に形成されている。ただし、図４や図１０から明らかなように、ブラックインクを貯留するインクカートリッジ５２（装置正面に向かって左のインクカートリッジ）のみが他のインク色のインクカートリッジ５２（装置正面に向かって右３つのインクカートリッジ）に比べて僅かに幅方向に大きく構成されている。これは、一般的に言ってブラックインクの需要が最も多く、大量に消費されるからである。
【００７６】
上記ユニット本体７４は、インクカートリッジ５２が挿抜されるケース７５と、ケース７５に設けられた扉７６と、扉７６に設けられた引出部材とを備えている。ケース７５は、例えば樹脂からなり、全体としてほぼ直方体状に形成されている。ケース７５は、図１０には表れていないが、底板部と、この底板部の左右両側に立設された一対の側板部８１と、各側板部８１間に架け渡すように配置された天板部８２とを備えている。このケース７５の内部に、インクカートリッジ５２が収容される収容室７８が各色ごとに区画形成されている。
【００７７】
図１０に示されるように、ケース７５の前面７９に開口８８が設けられている。この開口８８は、各収容室７８に対応して設けられている。換言すれば、これら各開口８８にそれぞれ連続してケース７５内に上記各収容室７８が設けられている。上記４つのインクカートリッジ５２それぞれは、この開口８８を通じて上記前面７９側から各収容室７８に挿入され、抜脱されるようになっている。なお、各収容室７８の内壁面形状は、インクカートリッジ５２の外周面形状に対応されている。そのため、各インクカートリッジ５２は、がたつくことなく確実にケース７５に保持される。
【００７８】
スキャナ部３は、原稿カバー３０を備えており、図２に示されるように、原稿カバー３０は、ＦＢＳ（Flatbed Scanner）として機能する装置本体１０の筐体に対して背面側の蝶番を介して開閉自在に取り付けられている。原稿カバー３０は、装置本体１０に対して閉じられた状態において、複合機１の上面の一部を構成する。なお、この原稿カバー３０に自動原稿搬送機構（ＡＤＦ：Auto Document Feeder）が設けられていてもよい。
【００７９】
原稿カバー３０が閉じられることにより、プラテンガラス３１は原稿カバー３０に覆われる。原稿カバー３０の下面には、スポンジ及び白板等からなる押さえ部材（不図示）が配設されている。プラテンガラス３１は、原稿が載置されるものであり、例えば透明なガラス板やアクリル板等である。このプラテンガラス３１には、Ａ４サイズやリーガルサイズ以下の原稿が載置可能である。Ａ４サイズやリーガルサイズ以下の原稿は、プラテンガラス３１上に載置されて原稿カバー３０が閉じられることにより、当該原稿がプラテンガラス３１上に固定される。この状態で、画像読取ユニット２２２がプラテンガラス３１に沿って走査されることにより、ＦＢＳによる原稿の画像読取りが行われる。
【００８０】
図１１は、スキャナ部３の筐体を構成する上カバーが取り外された状態のスキャナ部３の内部構造を示す平面図である。
【００８１】
装置本体１０の筐体内に画像読取ユニット２２２が配設されている。この筐体には、プラテンガラス３１を支持するための支持リブ２２３が、画像読取ユニット２２２の移動範囲を囲繞するように設けられている。支持リブ２２３により、プラテンガラス３１が水平に支持される。上記上カバーが取り付けられると、この上カバーに設けられた開口からプラテンガラス３１が露出する。プラテンガラス３１が露出した領域がＦＢＳにおける画像読取領域である。
【００８２】
画像読取ユニット２２２は、コンタクトイメージセンサ（Contact Image Sensor、以下「ＣＩＳ」という。）３２、キャリッジ２２４、ガイドシャフト２２５及びベルト駆動機構２２６から構成されている。画像読取ユニット２２２にＣＩＳ３２を採用することにより、イメージセンサが小型軽量化されて、スキャナ部３の小型化及び薄型化が実現される。
【００８３】
ＣＩＳ３２は、図示されていないが、ＬＥＤ、集光レンズ、受光素子等を有している。ＬＥＤから光が出射されると、その光は、プラテンガラス３１（図２参照）上の原稿に照射され、その反射光が集光レンズにより受光素子に集光される。受光素子は反射光の強度に応じた電気信号を出力する所謂光電変換素子であり、反射光強度に応じた電気信号を出力する。ＣＩＳ３２の筐体の長手方向は、画像読取りにおける主走査方向である。この主走査方向の長さ、すなわちＣＩＳ３２の筐体の長手方向の長さは、ＣＩＳ３２が読取り可能な最大サイズの原稿に対応した長さである。ＣＩＳ３２は、筐体の長手方向を読取ラインとして画像読取りを行い、読取ライン毎の電気信号を出力する。本実施形態では、プラテンガラス３１にはＡ４サイズやリーガルサイズの原稿が載置できるので、ＣＩＳ３２の読取ラインはＡ４サイズやリーガルサイズの原稿に対応されている。
【００８４】
スキャナ部３においてプラテンガラス３１に原稿が載置され、読取開始命令が入力されると、この原稿に対して上記ＣＩＳ３２が走査されて画像読取りが行われる。ＣＩＳ３２は、キャリッジ２２４に搭載されている。キャリッジ２２４は、ベルト駆動機構２２６の駆動を受けてガイドシャフト２２５上をプラテンガラス３１に対して平行に移動される。つまり、ＣＩＳ３２は、キャリッジ２２４とともにプラテンガラス３１に平行に移動される。ＣＩＳ３２は、プラテンガラス３１を通じて主走査方向の読取ラインで画像読取りを行い、副走査方向へスライド移動される。
【００８５】
なお、本実施形態では、スキャナ部３がＦＢＳとして実現されているため、イメージセンサとしてＣＩＳ３２が採用されているがＣＣＤイメージセンサ (Charge Coupled Device Image Sensor) が採用されてもよいことは勿論である。また、本実施形態では、ＡＤＦ（Auto Document Feeder）が設けられていないが、これが搭載されていてもよい。さらに、本実施形態では、スキャナ部３はＦＢＳとして機能するが、シートフィーダタイプのものでもよい。
【００８６】
図１２は、複合機１の制御部１０１の構成を示すブロック図である。
【００８７】
制御部１０１は、プリンタ部２のみでなくスキャナ部３も含む複合機１の全体動作を制御するものである。
【００８８】
制御部１０１は、同図に示されるように、ＣＰＵ（Central Processing Unit）１０２、ＲＯＭ（Read Only Memory）１０３、ＲＡＭ（Random Access Memory）１０４、ＥＥＰＲＯＭ（Electrically Erasable and Programmable ROM）１０５を主とするマイクロコンピュータとして構成されており、バス１０６を介してＡＳＩＣ（Application Specific Integrated Circuit）１０７に接続されている。
【００８９】
ＲＯＭ１０３は、複合機１の各種動作を制御するためのプログラム等を格納している。ＲＡＭ１０４は、ＣＰＵ１０２が上記プログラムを実行する際に用いる各種データを一時的に記憶する記憶領域又は作業領域として使用される。また、ＥＥＰＲＯＭ１０５には、電源オフ後も保持すべき設定やフラグ等が格納される。
【００９０】
ＡＳＩＣ１０７は、ＣＰＵ１０２からの指令に従ってプリンタ部２を制御する。具体的には、ＡＳＩＣ１０７は、給紙ローラ２５（図８参照）等の回転制御や、キャリッジ３８（図８及び図９参照）の往復動の制御、記録用紙にインクを吐出する記録ヘッド３９（図８参照）の駆動制御等を行う。
【００９１】
また、例えばＡＳＩＣ１０７は、ＣＰＵ１０２からの指令に従ってスキャナ部３を制御する。すなわち、ＡＳＩＣ１０７は、ＣＩＳ３２のスキャン動作を制御する。
【００９２】
また、ＡＳＩＣ１０７は、ＣＰＵ１０２からの指令に従って光センサ４０を動作させるための信号を生成する。ＡＳＩＣ１０７は、この信号を光センサ４０に付与して光センサ４０の動作制御を行っている。これにより、光センサ４０が所定のタイミングで動作し、ＡＳＩＣ１０７は、受光素子６５から電流が出力されるか否かに基づいて、スキャナ部３及び開閉扉７２の開閉を検出する。ＡＳＩＣ１０７により、スキャナ部３又は開閉扉７２が開放されていることが検出された場合、制御部１０１により操作パネル６からの操作入力が禁止される。これにより、スキャナ部３によるスキャン及びプリンタ部２によるプリントが禁止される。
【００９３】
また、ＡＳＩＣ１０７には、複合機１の操作指示を行うための操作パネル６、各種小型メモリカードが挿入されるスロット部７、パソコン等の外部機器とパラレルケーブルやＵＳＢケーブルを介してデータの送受信を行うためのパラレルインタフェース１０８及びＵＳＢインタフェース１０９等が接続されている。
【００９４】
さらに、ＡＳＩＣ１０７には、ファクシミリ機能及び電話通信機能を実現するためのＮＣＵ（Network Control Unit）１１７及びモデム（MODEM）１１８が接続されている。図１に示されるように、装置本体１０の接続部１４に局線が接続されるようになっている。これにより、当該局線がＮＣＵ１１７に電気的に接続される。
【００９５】
本実施形態に係る複合機１では、スキャナ部３及び開閉扉７２の開閉が以下のように検出される。図１３は、スキャナ部３及び開閉扉７２が共に閉じられた状態の複合機１の断面図である。図１４は、図１３の要部拡大断面図である。
【００９６】
図１３及び図１４に示されるように、第１検出子６１は、軸部８３によって装置本体１０に軸支されている。スキャナ部３が閉じられている状態では、それに対応する第１検出子６１の被接部８４は、スキャナ部３の第１押圧部３４が当接されている。これにより、遮蔽部８５が光センサ４０の空間６３から離脱する方向へ押圧力が付与されている。また、第１検出子６１は、遮蔽部８５が光センサ４０の空間６３（図５及び図６参照）に進入する方向へネジリコイルバネ９０（図５参照）によって弾性付勢されている。これにより、遮蔽部８５が光センサ４０の空間６３へ進入する方向へ付勢力が付与されている。ここでは、ネジリコイルバネ９０による付勢力よりも第１押圧部３４による押圧力の方が強いため、第１検出子６１の遮蔽部８５は、光センサ４０の空間６３から離脱した位置にある。
【００９７】
第２検出子６２は、軸部９２によって装置本体１０に軸支されている。開閉扉７２が閉じられている状態では、それに対応する第２検出子６２の被接部９３は、開閉扉７２の第２押圧部７７が当接されている。これにより、遮蔽部９４が光センサ４０の空間６３から離脱する方向へ押圧力が付与されている。また、第２検出子６２は、遮蔽部９４が光センサ４０の空間６３に進入する方向へネジリコイルバネ１００（図５参照）によって弾性付勢されている。これにより、遮蔽部９４が光センサ４０の空間６３へ進入する方向へ付勢力が付与されている。ここでは、ネジリコイルバネ１００による付勢力よりも第２押圧部７７による押圧力の方が強いため、第２検出子６２の遮蔽部９４は、光センサ４０の空間６３から離脱した位置にある。
【００９８】
したがって、図１３及び図１４に示されるように、スキャナ部３及び開閉扉７２が共に閉じられている場合、光センサ４０の空間６３が開放されているので、発光素子６４からの光が受光素子６５により受光される。これにより、受光素子６５によって受光された光の強度に応じた電流が受光素子６５から出力されるので、制御部１０１は、第１検出子６１及び第２検出子６２により光センサ４０の光路が開放されている、換言すれば、スキャナ部３及び開閉扉７２が共に閉じられていると判断することができる。
【００９９】
図１５は、スキャナ部３が開かれ、開閉扉７２が閉じられた状態の複合機１の断面図である。図１６は、図１５の要部拡大断面図である。図１５及び図１６に示されるように、プリンタ部２のメンテナンス等のためにスキャナ部３が開かれると、それに対応する第１検出子６１の被接部８４は、スキャナ部３の第１押圧部３４が当接されなくなる。これにより、被接部８４に付与されていた押圧力が除去される。図５及び図６に示されるように、第１検出子６１は、遮蔽部８５が光センサ４０の空間６３に進入する方向へネジリコイルバネ９０によって弾性付勢されている。第１検出子６１には、第１押圧部３４による押圧力が除去されてネジリコイルバネ９０による付勢力が作用しているので、付勢力により第１検出子６１が回動されて遮蔽部８５が光センサ４０の空間６３へ進入する。その際、ストッパ８９が光センサ４０の受光素子６５に当接して、遮蔽部８５が所定の遮断位置に位置決めされる。これにより、発光素子６４から受光素子６５への光の光路が確実に遮断され、発光素子６４からの光が受光素子６５により受光されなくなる。
【０１００】
図１７は、スキャナ部３が閉じられ、開閉扉７２が開かれた状態の複合機１の断面図である。図１８は、図１７の要部拡大断面図である。図１７及び図１８に示されるように、インクカートリッジ５２の交換等のために開閉扉３が開かれると、それに対応する第２検出子６２の被接部９３は、開閉扉７２の第２押圧部７７が当接されなくなる。これにより、被接部９３に付与されていた押圧力が除去される。図５及び図６に示されるように、第２検出子６２は、遮蔽部９４が光センサ４０の空間６３に進入する方向へネジリコイルバネ１００によって弾性付勢されている。第２検出子６２には、第２押圧部７７による押圧力が除去されてネジリコイルバネ１００による付勢力が作用しているので、付勢力により第２検出子６２が回動されて遮蔽部９４が光センサ４０の空間６３へ進入する。その際、ストッパ９８（図６参照）が光センサ４０の発光素子６４に当接して、遮蔽部９４が所定の遮断位置に位置決めされる。これにより、発光素子６４から受光素子６５への光の光路が確実に遮断され、発光素子６４からの光が受光素子６５により受光されなくなる。
【０１０１】
検出部４には、光センサ４０を挟んだ対向位置に一対の検出子（第１検出子６１及び第２検出子６２）が配置されている。そして、各検出子の遮蔽部は、光路を開放する位置において、光路を遮断する位置になる他の遮蔽部と光路方向に対してオーバーラップされたものである。すなわち、図１８に示されるように、第１検出子６１の遮蔽部８５は、光路を開放する位置において、光路を遮断する位置にある第２検出子６２の遮蔽部９４と光路方向に対してオーバーラップされたものである。換言すれば、光路を開放する位置にある遮蔽部８５の下端が、光路を遮断する位置にある遮蔽部９４の上端よりも空間６３側に突出するように第１検出子６１、第２検出子６２等が設計されている。また、図１６に示されるように、第２検出子６２の遮蔽部９４は、光路を開放する位置において、光路を遮断する位置にある第１検出子６１の遮蔽部８５と光路方向にオーバーラップされたものである。換言すれば、光路を開放する位置にある遮蔽部９４の下端が、光路を遮断する位置にある遮蔽部８５の上端よりも空間６３側に突出するように第１検出子６１、第２検出子６２等が設計されている。これにより、２つの遮蔽部８５及び遮蔽部９４が回動方向に重なって互いの検出子６１，６２が回動できなくなることが防止される。
【０１０２】
図１９は、スキャナ部３及び開閉扉７２が共に開かれた状態の複合機１の断面図である。図２０は、図１９の要部拡大断面図である。図１９及び図２０に示されるように、スキャナ部３が開かれると、それに対応する第１検出子６１の被接部８４は、スキャナ部３の第１押圧部３４が当接されなくなる。これにより、第１検出子６１には、第１押圧部３４による押圧力が除去されてネジリコイルバネ９０による付勢力が作用しているので、付勢力により第１検出子６１が回動されて遮蔽部８５が光センサ４０の空間６３へ進入する。その際、ストッパ８９が光センサ４０の受光素子６５に当接して、遮蔽部８５が所定の遮断位置に位置決めされる。
【０１０３】
開閉扉７２が開かれると、それに対応する第２検出子６２の被接部９３は、開閉扉７２の第２押圧部７７が当接されなくなる。これにより、第２検出子６２には、第２押圧部７７による押圧力が除去されてネジリコイルバネ１００による付勢力が作用しているので、付勢力により第２検出子６２が回動されて遮蔽部９４が光センサ４０の空間６３へ進入する。その際、ストッパ９８（図６参照）が光センサ４０の発光素子６４に当接して、遮蔽部９４が所定の遮断位置に位置決めされる。
【０１０４】
このように、スキャナ部３と開閉扉７２がどちらか一方でも開かれると、その開動作に連動して第１検出子６１と第２検出子６２の少なくとも一方が光センサ４０の空間６３に進入する。これにより、発光素子６４から受光素子６５への光の光路が遮断される。受光素子６５によって受光されていた光が受光されなくなるので、受光素子６５から電流が出力されなくなる。制御部１０１は、この電流変化に基づいて、第１検出子６１又は第２検出子６２により光センサ４０の光路が遮断されたこと、換言すれば、スキャナ部３及び開閉扉７２の少なくとも一方が開かれたと判断することができる。制御部１０１は、スキャナ部３又は開閉扉７２が開かれていると判断した場合、プリンタ部２によるプリント及びスキャナ部３によるスキャンを禁止する制御を行う。
【０１０５】
開かれた回動部材が閉じられると、それに対応する検出子は、回動部材の閉動作に連動して光センサ４０の空間６３から離脱する。すなわち、スキャナ部３が閉じられた場合には、第１押圧部３４によって被接部８４が押圧されて第１検出子６１が軸部８３回りに回動する。これにより、遮蔽部８５が光センサ４０の空間６３から離脱する。また、開閉扉７２が閉じられた場合には、第２押圧部７７によって被接部９３が押圧されて第２検出子６２が軸部９２回りに回動する。これにより、遮蔽部９４が光センサ４０の空間６３から離脱する。そして、光センサ４０の光路は、遮蔽部８５及び遮蔽部９４の離脱に伴って開放され、発光素子６４からの光が受光素子６５により受光される。制御部１０１は、受光素子６５からの出力電流に基づいてスキャナ部３及び開閉扉７２が閉じられたと判断した場合、プリンタ部２によるプリント及びスキャナ部３によるスキャンを許可する。
【０１０６】
このように、スキャナ部３及び開閉扉７２が共に閉じられていれば光路は開放され、スキャナ部３及び開閉扉７２がどちらか一方でも開かれると光路が遮断される。したがって、１つの光センサ４０の光路が開放されているか否かに基づいて、個別に開閉される複数の回動部材（ここでは、スキャナ部３及び開閉扉７２）の開閉を検出することができる。これにより、複数の回動部材の開閉を複数の光センサでそれぞれ検出する場合に比べて、コストを削減できる。なお、発光素子６４と受光素子６５との間の空間６３は、第１検出子６１及び第２検出子６２が出入可能な間隔があればよいので、小型の光センサ４０でスキャナ部３及び開閉扉７２の２つの回動部材の開閉を検出することができる。
【０１０７】
なお、本発明は、上記実施形態に限定されるものではなく、以下の形態であってもよい。すなわち、被接部８４，９３に対する押圧力が除去された場合に、遮蔽部８５，９４が例えば自重等により空間６３に進入する方向へ回動可能であれば、遮蔽部８５，９４は必ずしも空間６３に進入する方向へ弾性付勢されていなくてもよい。ただし、遮蔽部８５，９４が弾性付勢されている場合、遮蔽部８５，９４を光センサ４０の空間６３に確実に進入させて光路を遮断させることができ、チャタリングを抑制して光センサ４０の誤検出を防止できるので、遮蔽部８５，９４は弾性付勢されていることが好ましい。
【０１０８】
また、遮蔽部８５，９４が、回動方向に拡がる平面を有する平板形状であり、光センサ４０の空間６３において各平面が光路とそれぞれ直交する配置で平行に並べられたものである形態について説明したが、遮蔽部８５，９４は、他の形態のものであってもよい。ただし、遮蔽部８５，９４が、回動方向に拡がる平面を有する平板形状であり、光センサ４０の空間６３において各平面が光路とそれぞれ直交する配置で平行に並べられたものである場合、空間６３を小さくすることができるので好適である。結果として、光センサ４０を小型化することができる。
【０１０９】
また、本実施形態においては、プリンタ部２の内部にアクセスするためにプリンタ部２の筐体１１に対して開閉される扉が、インク交換のために開かれる開閉扉７２である形態について説明したが、筐体１１に対して開閉される扉は、例えば、ジャム処理のために開閉される扉であってもよい。また、プリンタ部２の開口１５を開閉する扉を設け、この扉を複数の回動部材の一つとしてもよい。また、本実施形態においては、プリンタ部２が記録用紙にインクを吹き付けて画像を記録する所謂インクジェットプリンタである形態について説明したが、プリンタ部２は、筐体１１に対して開閉される回動部材を有していれば、例えばレーザプリンタ等であってもよい。
【０１１０】
また、本実施形態においては、１つの光センサ４０により２つの検出子６１，６２の回動状態が光学的に検出される形態について説明したが、検出子の数は２つに限定されるものではなく、３つ以上の検出子の回動状態を検出することも可能である。
【図面の簡単な説明】
【０１１１】
【図１】図１は、本発明の実施形態に係る複合機１の外観構成を示す斜視図である。
【図２】図２は、複合機１の内部構成を示す断面図である。
【図３】図３は、スキャナ部３がプリンタ部２に対して開かれ、開閉扉７２がプリンタ部２の筐体１１に対して開かれた状態の複合機１を示す外観斜視図である。
【図４】図４は、プリンタ部２の筐体１０に対して開かれた状態の開閉扉７２及びその周辺を示す拡大斜視図である。
【図５】図５は、スキャナ部３及び開閉扉７２の開閉を検出する検出部４を示す拡大斜視図である。
【図６】図６は、検出部４に配設される光センサ４０、第１検出子６１、及び、第２検出子６２を示す分解斜視図である。
【図７】図７は、スキャナ部３の下面に設けられた第１押圧部３４を示す拡大斜視図である。
【図８】図８は、プリンタ部２の主要構成を示す部分拡大断面図である。
【図９】図９は、プリンタ部２の主要構成を示す平面図である。
【図１０】図１０は、リフィルユニット７０の斜視図である。
【図１１】図１１は、スキャナ部３の筐体を構成する上カバーが取り外された状態のスキャナ部３の内部構造を示す平面図である。
【図１２】図１２は、複合機１の制御部１０１の構成を示すブロック図である。
【図１３】図１３は、スキャナ部３及び開閉扉７２が共に閉じられた状態の複合機１の断面図である。
【図１４】図１４は、図１３の要部拡大断面図である。
【図１５】図１５は、スキャナ部３が開かれ、開閉扉７２が閉じられた状態の複合機１の断面図である。
【図１６】図１６は、図１５の要部拡大断面図である。
【図１７】図１７は、スキャナ部３が閉じられ、開閉扉７２が開かれた状態の複合機１の断面図である。
【図１８】図１８は、図１７の要部拡大断面図である。
【図１９】図１９は、スキャナ部３及び開閉扉７２が共に開かれた状態の複合機１の断面図である。
【図２０】図２０は、図１９の要部拡大断面図である。
【符号の説明】
【０１１２】
１・・・複合機（電子機器）
２・・・プリンタ部
３・・・スキャナ部（複数の回動部材の一つ）
４・・・検出部
１０・・・装置本体（機器本体）
１１・・・筐体
３４・・・第１押圧部
４０・・・光センサ
６１・・・第１検出子（複数の検出子の一つ）
６２・・・第２検出子（複数の検出子の一つ）
６３・・・空間
６４・・・発光素子
６５・・・受光素子
７２・・・開閉扉（複数の回動部材の一つ）
７７・・・第２押圧部
８３，９２・・・軸部
８４，９３・・・被接部
８５，９４・・・遮蔽部
８９，９８・・・ストッパ
９０，１００・・・ネジリコイルバネ
９９・・・ガイド
【図１】
2007268864.tif 000003
【図２】
2007268864.tif 000004
【図３】
2007268864.tif 000005
【図４】
2007268864.tif 000006
【図５】
2007268864.tif 000007
【図６】
2007268864.tif 000008
【図７】
2007268864.tif 000009
【図８】
2007268864.tif 000010
【図９】
2007268864.tif 000011
【図１０】
2007268864.tif 000012
【図１１】
2007268864.tif 000013
【図１２】
2007268864.tif 000014
【図１３】
2007268864.tif 000015
【図１４】
2007268864.tif 000016
【図１５】
2007268864.tif 000017
【図１６】
2007268864.tif 000018
【図１７】
2007268864.tif 000019
【図１８】
2007268864.tif 000020
【図１９】
2007268864.tif 000021
【図２０】
2007268864.tif 000022